【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
第１の電流ミラーの出力または入力のいずれかで、源信号をデータ信号から減算し、前記源信号の低周波数成分と高周波数成分の両方を差し引いた前記データ信号を含む第１の信号を発生する工程、
前記源信号に低域通過フィルタを施し、前記源信号の前記低周波数成分を含む第２の信号を発生する工程、
前記第２の信号を第２の電流ミラーの入力に提供する工程、及び
前記第２の電流ミラーの出力で前記第２の信号に前記第１の信号を加え、前記源信号の前記高周波数成分を差し引いた前記データ信号を含む出力信号を発生する工程を含むことを特徴とするコヒーレントノイズキャンセル方法。
【請求項２】
入力と出力を含み、前記入力が源信号を受信し、前記出力が第１のノードに接続される第１の電流ミラー、
制御端子と電流路を含み、前記制御端子が前記電流路を通る電流の流れを制御するトランジスタ（Ｍ５）、
入力と出力を含み、前記入力が前記第１の電流ミラーの前記入力に接続され、前記出力が前記トランジスタ（Ｍ５）の前記制御端子に接続される低域通過フィルタ、及び
入力と出力を含み、前記入力が前記トランジスタ（Ｍ５）の前記電流路に接続され、前記出力が第２のノードに接続される第２の電流ミラーを含むコヒーレントノイズキャンセル回路において、
前記第１のノードがデータ信号を受信し、前記第１のノードと前記第２のノードが一緒に接続されることを特徴とするコヒーレントノイズキャンセル回路。
【請求項３】
前記第１のノードと前記第２のノードがそれらの間に素子を介在せずに、或いは第２のトランジスタの電流路により一緒に接続されることを特徴とする請求項２に記載のコヒーレントノイズキャンセル回路。
【請求項４】
前記トランジスタ（Ｍ５）がＣＭＯＳトランジスタ或いはＢＪＴトランジスタからなっており、
前記トランジスタ（Ｍ５）がＣＭＯＳトランジスタからなるとき、前記制御端子が前記ＣＭＯＳトランジスタのゲートからなり、かつ前記電流路が前記ＣＭＯＳトランジスタのドレイン‐ソース路からなり、
前記トランジスタ（Ｍ５）がＢＪＴトランジスタからなるとき、前記制御端子が前記ＢＪＴトランジスタのベースからなり、前記電流路が前記ＢＪＴトランジスタのコレクタ‐エミッタ路からなることを特徴とする請求項２に記載のコヒーレントノイズキャンセル回路。
【請求項５】
前記第１の電流ミラーがＮチャネルトランジスタからなり、前記第２の電流ミラーがＰチャネルトランジスタからなることを特徴とする請求項２に記載のコヒーレントノイズキャンセル回路。
【請求項６】
入力と出力を含み、前記出力が源信号を受信し、前記入力が第１のノードに接続される第１の電流ミラー、
制御端子と電流路を含み、前記制御端子が前記電流路を通る電流の流れを制御するトランジスタ（Ｍ５）、
入力と出力を含み、前記入力が前記第１の電流ミラーの前記入力に接続され、前記出力が前記トランジスタ（Ｍ５）の前記制御端子に接続される低域通過フィルタ、及び
入力と出力を含み、前記入力が前記トランジスタ（Ｍ５）の前記電流路に接続され、前記出力が第２のノードに接続される第２の電流ミラーを含むコヒーレントノイズキャンセル回路において、
前記第１のノードがデータ信号を受信し、前記第１のノードと前記第２のノードが一緒に接続されることを特徴とするコヒーレントノイズキャンセル回路。
【請求項７】
前記第１のノードと前記第２のノードがそれらの間に素子を介在せずに、或いは第２のトランジスタの電流路により一緒に接続されることを特徴とする請求項６に記載のコヒーレントノイズキャンセル回路。
【請求項８】
前記トランジスタ（Ｍ５）がＣＭＯＳトランジスタ或いはＢＪＴトランジスタからなっており、
前記トランジスタ（Ｍ５）がＣＭＯＳトランジスタからなるとき、前記制御端子が前記ＣＭＯＳトランジスタのゲートからなり、かつ前記電流路が前記ＣＭＯＳトランジスタのドレイン‐ソース路からなり、
前記トランジスタ（Ｍ５）がＢＪＴトランジスタからなるとき、前記制御端子が前記ＢＪＴトランジスタのベースからなり、前記電流路が前記ＢＪＴトランジスタのコレクタ‐エミッタ路からなることを特徴とする請求項６に記載のコヒーレントノイズキャンセル回路。
【請求項９】
前記第１の電流ミラーがＮチャネルトランジスタからなり、前記第２の電流ミラーがＰチャネルトランジスタからなることを特徴とする請求項６に記載のコヒーレントノイズキャンセル回路。
【請求項１０】
データ信号を発生する工程、
高周波数成分と低周波数成分との両方を含む源信号を発生する工程、
前記源信号を前記データ信号から減算し、前記源信号の前記低周波数成分と前記高周波数成分の両方を差し引いた前記データ信号を含む第１の信号を発生する工程、
前記源信号に低域通過フィルタを施し、前記源信号の前記低周波数成分を含む第２の信号を発生する工程、及び
前記第１の信号を前記第２の信号に加算し、前記源信号の前記高周波数成分を差し引いた前記データ信号を含む出力信号を発生する工程を含むことを特徴とするコヒーレントノイズキャンセル方法。
【請求項１１】
前記データ信号、前記源信号、前記第１の信号、及び前記第２の信号が全て電流信号であり、
前記減算する工程が第１の電流ミラーの入力で前記源信号を前記データ信号から減算することを含み、
前記加算する工程が第２の電流ミラーの出力で前記第１の信号を前記第２の信号に加算することを含むことを特徴とする請求項１０に記載のコヒーレントノイズキャンセル方法。
【請求項１２】
前記データ信号、前記源信号、前記第１の信号、及び前記第２の信号が全て電流信号であり、
前記減算する工程が第１の電流ミラーの出力で前記源信号を前記データ信号から減算することを含み、
前記加算する工程が第２の電流ミラーの出力で前記第１の信号を前記第２の信号に加算することを含むことを特徴とする請求項１１に記載のコヒーレントノイズキャンセル方法。
【請求項１３】
光信号を出力する光源、第１のフォトディテクター、第２のフォトディテクター、及び前記光信号の第１の部分が光学記憶媒体で反射されて前記第１のフォトディテクターで検出され前記光信号の第２の部分が前記第２のフォトディテクターで検出されるように前記光信号を分裂させるビームスプリッターを含むシステムと使用されるコヒーレントノイズキャンセル方法であって、
前記第１のフォトディテクターにより検出した光を示すデータ信号を発生する工程、
前記第２のフォトディテクターにより検出した光を示し高周波数成分と低周波数成分との両方を含む源信号を発生する工程、
前記源信号を前記データ信号から減算し、前記源信号の前記低周波数成分と前記高周波数成分の両方を差し引いた前記データ信号を含む第１の信号を発生する工程、
前記高周波数成分を前記源信号からフィルタリングし、前記源信号の前記低周波数成分を含む第２の信号を発生する工程、及び
前記第１の信号を前記第２の信号に加算し、前記源信号の前記高周波数成分を差し引いた前記データ信号を含む出力信号を発生する工程を含むコヒーレントノイズキャンセル方法。
【請求項１４】
光信号を出力する光源、第１のフォトディテクター、第２のフォトディテクター、及び前記光信号の第１の部分が光学記憶媒体で反射されて前記第１のフォトディテクターで検出され前記光信号の第２の部分が前記第２のフォトディテクターで検出されるように前記光信号を分裂させるビームスプリッターを含むシステムと使用されるコヒーレントノイズキャンセル回路であって、
前記第１のフォトディテクターにより発生した信号を増幅してデータ信号を発生する第１の前置増幅器、
前記第２のフォトディテクターにより発生した信号を増幅して高周波数成分と低周波数成分との両方を含む源信号を発生する第２の前置増幅器、
前記源信号を前記データ信号から減算し、前記源信号の前記低周波数成分と前記高周波数成分の両方を差し引いた前記データ信号を含む第１の信号を発生する減算手段、
前記高周波数成分を前記源信号からフィルタリングし、前記源信号の前記低周波数成分を含む第２の信号を発生するフィルタリング手段、及び
前記第１の信号を前記第２の信号に加算し、前記源信号の前記高周波数成分を差し引いた前記データ信号を含む出力信号を発生する加算手段を含むコヒーレントノイズキャンセル回路。
【請求項１５】
入力と出力を有する第１の電流ミラー（３０２，３０２´）、
入力と出力を有しフィルタ（３０８）が結合された第２の電流ミラー（３０４，３０４´）、及び
入力と出力を有する第３の電流ミラー（３０６）を含むコヒーレントノイズキャンセル回路であって、
高周波数成分と低周波数成分との両方を含む源信号（Ｉｓ）が第１の電流ミラー（３０２，３０２´）の入力又は出力でデータ信号（Ｉｄ）から減算され、それにより源信号（Ｉｓ）の低周波数成分と高周波数成分の両方を差し引いたデータ信号（Ｉｄ）を含む第１の信号（Ｉｄ−Ｉｓ）を発生し、
源信号（Ｉｓ）がフィルタ（３０８）により低域通過フィルタリングされ、それにより第２の電流ミラー（３０４，３０４´）の出力で源信号（Ｉｓ）の低周波数成分を含む第２の信号（Ｉｓ（ＬＦ））を発生し、
第２の信号（Ｉｓ（ＬＦ））が第３の電流ミラー（３０６）の入力へ提供され、
第２の信号（Ｉｓ（ＬＦ））が第３の電流ミラー（３０６）の出力で第１の信号（Ｉｄ−Ｉｓ）に加算され、それにより源信号（Ｉｓ）の高周波数成分を差し引いたデータ信号（Ｉｄ）を含む出力信号（Ｉｏｕｔ）を発生することを特徴とするコヒーレントノイズキャンセル回路。
【請求項１６】
入力と出力を有する第１の電流ミラー（３０２，３０２´）、
入力と出力を有する第２の電流ミラー（３０４´´，３０４´´´）、及び
入力と出力を有しフィルタ（３０８）が結合された第３の電流ミラー（３０６´）を含むコヒーレントノイズキャンセル回路であって、
高周波数成分と低周波数成分との両方を含む源信号（Ｉｓ）が第１の電流ミラー（３０２，３０２´）の入力又は出力でデータ信号（Ｉｄ）から減算され、それにより源信号（Ｉｓ）の低周波数成分と高周波数成分の両方を差し引いたデータ信号（Ｉｄ）を含む第１の信号（Ｉｄ−Ｉｓ）を発生し、
第２の電流ミラー（３０４´´，３０４´´´）が源信号（Ｉｓ）を第３の電流ミラー（３０６´）の入力へ提供し、
源信号（Ｉｓ）がフィルタ（３０８）により低域通過フィルタリングされ、それにより第３の電流ミラー（３０６´）の出力で源信号（Ｉｓ）の低周波数成分を含む第２の信号（Ｉｓ（ＬＦ））を発生し、
第２の信号（Ｉｓ（ＬＦ））が第３の電流ミラー（３０６´）の出力で第１の信号（Ｉｄ−Ｉｓ）に加算され、それにより源信号（Ｉｓ）の高周波数成分を差し引いたデータ信号（Ｉｄ）を含む出力信号（Ｉｏｕｔ）を発生することを特徴とするコヒーレントノイズキャンセル回路。